(57)【特許請求の範囲】
【請求項１】
加熱室の開口部周縁に前板が配され、前記加熱室を覆うカバーが前記前板に取付けられ、前記カバーに、前記前板の湾曲した外周縁に係合する係止体が設けられ、湾曲した前記前板に合わせて前記カバーを湾曲させるために前記係止体の一部が切り欠かれたことを特徴とする加熱調理器。
【請求項２】
加熱室の後方に、湾曲した外周縁を有する後板が配され、カバーに、前記後板の外周縁に取付けられる折曲体が設けられ、湾曲した前記後板に合わせて前記カバーを湾曲させるために前記折曲体の一部が切り欠かれたことを特徴とする請求項１記載の加熱調理器。
【請求項３】
係止体は、前板に係合する複数の爪部からなり、隣り合う爪部の間に切欠部が形成され、前記爪部は等間隔に配されたことを特徴とする請求項１または２記載の加熱調理器。
【請求項４】
係止体は、前板に係合する複数の爪部からなり、隣り合う爪部の間に切欠部が形成され、前記爪部は任意の幅に形成されたことを特徴とする請求項１または２記載の加熱調理器。
【請求項５】
中央に位置する爪部は、端に位置する爪部よりも幅広とされたことを特徴とする請求項４記載の加熱調理器。
【請求項６】
爪部は、前板の外周縁を挟みつける構造とされ、隣り合う爪部の前端が連結されたことを特徴とする請求項３または４記載の加熱調理器。
【発明の詳細な説明】
【０００１】
【発明の属する技術分野】
本発明は、電子レンジ等の高周波加熱調理器のキャビネットの構造に関するものである。
【０００２】
【従来の技術】
従来の電子レンジとして、図１１に示すように、加熱室４０と、その加熱室４０の開口部周縁の前板４１と、加熱室４０の後方の後板４２と、加熱室４０の上面および左右側面を覆うカバー４３と、底板４４とから構成される。前板４１と後板４２は底板４４上に立設され、カバー４３は前板４１および後板４２に固定される。
【０００３】
前板４１および後板４２の外周縁は、内側に折曲されてフランジ４５とされる。また、カバー４３は、一枚の金属板の前縁を折り返して爪４６を形成し、また、後縁を折り曲げて折曲体４７を形成した後、略コの字形に型付けして製造する。そして、カバー４３の前縁の爪４６を前板４１のフランジ４５を挟み付けることによって、前板４１に係合し、後縁の折曲体４７を後板４２にねじ止めする。
【０００４】
ところで、前板、後板およびカバーの形状は、電子レンジとしての使い勝手や製造コストを考慮して、直線を基調としたものが主流となっているが、消費者のニ−ズの多様化に伴って、外観が丸みを帯びた新規なデザインを採用した電子レンジの需要が高まってきている。このようなデザインを採用する場合、湾曲面から構成されるキャビネット構造となる。
【０００５】
【発明が解決しようとする課題】
しかしながら、キャビネットを湾曲させたデザインを採用した場合、従来構造のカバーでは、カバーの前後縁のほぼ全域に亘って爪が存在するため、その爪が補強リブとして作用し、腰が強くなり、カバーを湾曲させることができず、これをそのまま流用することはできない。したがって、前板および後板の形状に応じて湾曲させたカバーを別に用意する必要があり、このカバーを形成するための金型も作成する必要が生じるので、製造コストが上昇するという問題があった。
【０００６】
本発明は、上記に鑑み、従来と同様な型付けしたカバーを用い、その前後縁の爪と折曲体の構造を変更して、湾曲面を有するキャビネット構造に対応可能な加熱調理器を提供することを目的とする。
【０００７】
【課題を解決するための手段】
上記目的を達成するため、本発明の加熱調理器では、前板および後板の外周縁が湾曲した形状とされている場合、これらに取付けられるカバーを撓みやすくすることによって、前板および後板の形状に合わせてカバーを湾曲させることができるような構造としたものである。そのため、カバーの係止体は、その一部が切り欠かれて形成されている。また、カバーの後端を折り曲げることにより形成された折曲体は、その一部が切欠かれている。
【０００８】
これにより、カバーの腰の強さを保ちつつ、撓み量を大きくすることができる。そのため、湾曲した形状のカバーを製作しなくてもよいので、金型費の削減が図れ、製造コストを低減できる。また、カバーは従来と同様に、略コの字状に型付けしたものを使用するので、湾曲キャビネットのみならず、直方体形状の調理器のカバーとしても使用可能である。ここで、前板および後板の外周縁は内側に折曲されてフランジが形成され、カバーの前縁は、折り曲げられて係止体が形成されている。
【０００９】
そして、係止体は、前板のフランジに係合する複数の爪部からなり、隣り合う爪部の間に切欠部が形成されている。爪部は、カバーの前方から挿入される前板のフランジを挟みつけることによって前板を係合するものである。係止体において、爪部を等間隔に形成すれば、カバーを等しい曲率で湾曲させることができる。
【００１０】
また、カバーのサイズの違いにより、構造上、強度不足が懸念される場合には、爪部を任意の幅に形成して、カバーの強度を保ちつつ、撓みやすくすればよい。すなわち、ある箇所の爪部の幅を他の爪部よりも大きくすれば、その箇所においてはカバーの腰の強さが保たれ、カバーの強度不足を防げる。この場合の一例として、係止体の中央部に位置する爪部の幅を端の爪部の幅よりも大きく形成すれば、カバーの強度を保つことができるとともに、端部の曲率と中央部の曲率とが異なるカバーを製作することができる。すなわち、爪部の幅を調節することにより、曲率を自由に制御することができる。
【００１１】
カバーの爪部の態様としては、キャビネットの端部を折り曲げることにより形成する態様、あるいはカバーの一端に別部材としての爪を固定することにより形成する態様のいずれをも含む。ここで、爪部の前端を連結して係止片を構成すれば、前板のフランジとの接触面積が増えるので、カバーの装着時の強度を増大させることができる。
【００１２】
【発明の実施の形態】
（第一実施形態）
本発明の第一実施形態を図面に基づいて説明する。図１は電子レンジの分解斜視図、図２は電子レンジの斜視図、図３および図４はカバー１を下から見た図である。本実施形態の電子レンジは、キャビネット２の上面を湾曲させた構造とするものであって、キャビネット２は、加熱室３の開口部周縁に取付けられた前板４と、加熱室３の後方に配された後板５と、底板６と、加熱室３の上面および左右側面を覆うカバー１とから構成されている。前板４および後板５の上部の外周縁は、上に向かうにつれて湾曲している。
【００１３】
前板４の外周縁は内側に折り曲げられ、前板４の上、下部にはそれぞれ上フランジ７、下フランジ８が、左右側部には横フランジ９が形成されている。このとき、フランジを折り曲げやすくするため、前板４の角部１０は切り欠かれている。また、後板５も前板４と同様に、上フランジ７、下フランジ８、横フランジ９が形成されている。
【００１４】
カバー１は、一枚の平板を略コの字状に折り曲げて形成され、前側に前板４の上フランジ７を係合するための上係止体２０が形成され、さらに左右の横フランジ９を係合するための横係止体２１が形成されている。上係止体２０は、図４に示すように、カバー１の端部に形成された櫛歯形状の凸片２２を折り曲げたものである。この凸片２２を基線ａから内側に向けて折り返し、さらに中間線ｂにおいて外側に折り曲げることによって、上係止体２０が完成する。これにより、図５、６に示すように、上係止体２０には、前方に向かって開放された複数の爪部２３が形成される。
【００１５】
このとき、隣り合う爪部２３の間に形成される空間が切欠部２４とされる。爪部２３は、断面が略Ｊ字状とされ、先端が下側に少し折り曲げられており、前板４の上フランジ７を挟みやすくされている。また、横係止体２１も同様に断面略Ｊ字状に形成される。
【００１６】
なお、本実施形態では、略コの字状に型付け成形したカバー１の上面のみを前板および後板の上縁の曲率に合わせて湾曲させる態様であるため、横係止体２１は切り欠かれていない。また、カバー１の左右の下縁に、内側に折り曲げられた下折曲体２５が形成され、両下折曲体２５が底板６の下面に当接して、底板６がカバー１に挟み込まれるようになっている。
【００１７】
上記のごとく、カバー１の上係止体２０の一部が切り欠かれた切欠部２４は、爪部２３に比べて腰が弱くなり、カバー１は撓みやすくなる。そのため、前板４の形状に合わせて湾曲させることができる。また、爪部２３は等間隔で形成されているので、カバー１を一定の曲率で湾曲させることが可能となる。
【００１８】
カバー１の後側では、外周縁を内側に折り曲げることによって、上折曲体２６および横折曲体２７が形成されている。上折曲体２６には、等間隔に一部を切り欠いた凹部２８が形成されている。この凹部２８によって、カバー１が湾曲可能とされる。
【００１９】
隣り合う凹部２８の間の凸部２９には、ねじ穴３０が形成され、ねじ３１により後板５に固定される。また、カバー１の強度を保持しつつ、撓みやすくするために、凹部２８の長さＬは約４〜６ｍｍ、凸部２９の長さＨは１０ｍｍ以上とするのが好適である。なお、本実施形態では、後板５の上部のみが丸みを帯びているので、左右の横折曲体２７は切り欠かれていない。
【００２０】
次に、キャビネット２の組み立てについて説明する。加熱室３に固定された前板４および後板５の下フランジ８を底板６にねじ３１で固定し、前板４および後板５を立設する。そして、略コの字状に型付け成形したカバーを用意し、そのカバー１上面を湾曲させながら、カバー１の下折曲体２５を底板６の下面に沿わせて、カバー１を前方にスライドさせていく。
【００２１】
前板４の上フランジ７が上係止体２０の爪部２３によって挟み込まれて係合され、同時に横フランジ９が横係止体２１に挟み込まれて係合される。このとき、カバー１の上面は前板４の上フランジ７の湾曲に応じて湾曲される。この後、カバー１の上折曲体２６および横折曲体２７が後板５に当接するので、カバー１を後板５にねじで固定する。このようにして、上面が湾曲したキャビネット２が完成する。
【００２２】
（第二実施形態）
本実施形態では、図８に示すように、カバー１の強度を向上させるため、上係止体２０の爪部２３を任意の幅で形成したことを特徴としており、この他のキャビネット２の構成は、第一実施形態と同様である。カバー１のサイズの違いにより構造上、強度不足が懸念される場合でも、爪部２３を任意の幅で形成することにより、カバー１の装着時の取付け強度を向上させることができる。また、切欠部２４の存在によりカバー１は湾曲可能となることから、デザイン性を損なうこともない。
【００２３】
ここで、中央に位置する爪部２３を、端に位置する爪部２３よりも幅広に形成することにより、切欠部２４の間隔がランダムになる。すなわち、爪部２３の幅が広い中央部では、カバー１の強度が増すため、カバー１は撓みにくくなる。一方、端部では、撓みやすくなる。これにより、カバー１の端部の曲率と中央部の曲率とが異なる形状のカバー１を作成することができる。
【００２４】
（第三実施形態）
本実施形態では、図９、１０に示すように、カバー１の取付け強度を向上させるため、爪部２３の前端を連結したことを特徴としており、その他の構造は、第一実施形態と同様である。爪部２３の前端を連結したことにより、カバー１の装着時の取付け強度を増大させることができる。
【００２５】
なお、本発明は上記実施形態に限定されるものではなく、本発明の範囲内で上記実施形態に多くの修正および変更を加え得ることは勿論である。例えば、上記実施形態では、カバーの上面が湾曲した形状としたが、側面を湾曲させてもよく、横係止体および横折曲体の一部を切り欠けばよい。これにより、キャビネット全体を曲面形状とすることができる。また、カバーの折曲体の凹部を任意の幅に形成してもよい。さらに、本実施形態では、電子レンジのキャビネットを湾曲させた態様を例示したが、電子レンジ以外の加熱調理器のキャビネットにも適用することができる。
【００２６】
【発明の効果】
以上の説明から明らかなように、本発明によると、従来と同様に略コの字状に型付けしたカバーを使用し、前板と係合する係止体および後板に固定される折曲体を夫々一部切り欠いて湾曲可能な構成としたので、カバーに所定の強度を保ちつつ、カバーを容易に湾曲させることができる。したがって、予め湾曲させたキャビネットを別部品として製作しなくてよく、製造コストを低減できる。
【００２７】
また、係止体において、爪部と切欠部を形成する位置を変更することにより、カバーの曲率を自由に制御することができ、さらにカバーの取付け強度を調整することができる。
【図面の簡単な説明】
【図１】本発明の第一実施形態の電子レンジのキャビネットの分解斜視図
【図２】扉を外した状態の電子レンジの斜視図
【図３】カバーを下から見た図
【図４】上係止体形成前のカバーを示す図
【図５】上係止体の斜視図
【図６】（ａ）図３のＢ−Ｂ断面図、（ｂ）図３のＣ−Ｃ断面図
【図７】カバーの後面図
【図８】第二実施形態のカバーを下から見た図
【図９】第三実施形態のカバーを下から見た図
【図１０】第三実施形態の上係止体の斜視図
【図１１】従来の電子レンジの斜視図
【符号の説明】
１    カバー
２    キャビネット
４    前板
５    後板
７    上フランジ
９    横フランジ
２０  上係止体
２３  爪部
２４  切欠部
２５  上折曲体
２７  横折曲体
２８  凹部
【図１】
0003619768.tif 000002
【図２】
0003619768.tif 000003
【図３】
0003619768.tif 000004
【図４】
0003619768.tif 000005
【図５】
0003619768.tif 000006
【図６】
0003619768.tif 000007
【図７】
0003619768.tif 000008
【図８】
0003619768.tif 000009
【図９】
0003619768.tif 000010
【図１０】
0003619768.tif 000011
【図１１】
0003619768.tif 000012